(57)【要約】開創器支持装置を、サイドレール（１４）を有する手術台（１２）に固定するクランプデバイス（１０）。このクランプデバイス（１０）は、手術台（１２）の１側面とサイドレール（１４）との間に配置された、第一のクランプ部材（１６）を有する。このクランプデバイス（１０）はまた、サイドレール（１４）と第一のクランプ部材（１６）との間に配置された、第二のクランプ部材（１６）を備える。第一の固定機構（２０）が、第一のクランプ部材と第二のクランプ部材（１６）とを作動可能に接続し、その結果、第一の固定機構（２０）によって提供される力が、第一のクランプ部材および第二のクランプ部材（１６）を逆方向に移動させ、そして手術台（１２）の側面とサイドレール（１４）とを摩擦係合させる。
2005536315.tif 000002
【特許請求の範囲】
【請求項１】
開創器支持装置を手術台にクランプするためのデバイスであって、該手術台は、サイドレールを有し、該デバイスは、以下：
該手術台の１側面と該サイドレールとの間に配置される、第一のクランプ部材；および
該手術台の該側面と該第一のクランプ部材との間に配置される、第二のクランプ部材；ならびに
該第一のクランプ部材および該第二のクランプ部材に作動可能に接続された機構であって、これによって、該第一のクランプ部材および第二のクランプ部材が、逆方向に移動可能であり、これによって、該第一のクランプ部材を該サイドレールに摩擦係合させ、そして該第二のクランプ部材を該手術台の該側面に摩擦係合させる、機構、
を備える、デバイス。
【請求項２】
前記機構が、前記第一のクランプ部材および第二のクランプ部材を係合させる、複数のねじ切りされた棒を備え、その結果、該ねじ切りされた棒が回転される場合に、該第一のクランプ部材および第二のクランプ部材が、逆方向に移動する、請求項１に記載のデバイス。
【請求項３】
前記機構が、前記第一のクランプ部材および第二のクランプ部材を、前記サイドレールの上方で係合させる、第一のねじ切りされた棒、ならびに該第一のクランプ部材および第二のクランプ部材を、該サイドレールの下方で係合させる、第二のねじ切りされた棒を備え、その結果、該第一のねじ切りされた棒および第二のねじ切りされた棒が回転される場合に、該クランプ部材が逆方向に移動する、請求項１に記載のデバイス。
【請求項４】
前記第一の棒および第二の棒が、前記第一のクランプ部材と螺合係合し、一方で、前記第二のクランプ部材と係合して自由に回転する、請求項３に記載のデバイス。
【請求項５】
前記サイドレール上に位置決めされたＵ字型部材をさらに備え、該Ｕ字型部材の１つのレッグは、第一のクランプ部材であり、そして該Ｕ字型部材は、該サイドレールの、前記手術台および該第一のレッグに対向する側に配置された第二のレッグを有する、請求項１に記載のデバイス。
【請求項６】
前記第一のねじ切りされた棒および第二のねじ切りされた棒の各々が、該第一のねじ切りされた棒および第二のねじ切りされた棒を回転させるための、該棒に固定されて取り付けられたハンドルを有する、請求項３に記載のデバイス。
【請求項７】
開創器支持装置を手術台の上方に保持するためのクランプデバイスであって、該手術台は、サイドレールを有し、該クランプデバイスは、以下：
第一のレッグおよび第二のレッグを有するＵ字型部材であって、該レッグは、該サイドレールの対向する側に配置される、Ｕ字型部材；ならびに
該Ｕ字型部材と螺合係合する第一の棒および第二の棒であって、該第一のねじ切りされた棒は、該サイドレールの上方に位置し、そして該第二のねじ切りされた棒は、該サイドレールの下方に位置し、該棒の各々は、該手術台に対して作用するための遠位端を有し、その結果、該ねじ切りされた棒が回転される場合、該第一のレッグおよび第二のレッグは、該サイドレールに押し付けられ、該サイドレールと摩擦係合し、そして該Ｕ字型部材を、該サイドレールに対してクランプされた位置に保持する、第一の棒および第二の棒、
を備える、クランプデバイス。
【請求項８】
クランププレートをさらに備え、該クランププレートは、前記第一の棒および第二の棒の遠位端によって回転可能に係合されており、そして該ねじ切りされた棒のうちの少なくとも一方が回転される場合に、前記手術台と係合するように、該手術台に対して位置決めされている、請求項６に記載のクランプデバイス。
【請求項９】
両方のねじ切りされた棒が、前記サイドレールに前記第一のレッグを押し付けるように回転される、請求項７に記載のクランプデバイス。
【請求項１０】
開創器支持装置を手術台の上方に保持するためのクランプデバイスであって、該手術台は、サイドレールを有し、該クランプデバイスは、以下：
該サイドレールと、該手術台の１側面との間に配置された、第一のクランププレート；
該第一のクランププレートと該手術台との間に配置された、第二のクランププレートであって、該第二のクランププレートは、該手術台の該側面と係合する、第二のクランププレート；ならびに
該第一のクランププレートと該第二のクランププレートとに作動可能に接続された、第一の力提供機構であって、該力提供機構は、該第二のクランププレートと相互作用することによって、該第一のクランププレートにクランプ力を提供し、その結果、該第一のクランププレートは、該第一のクランププレートが該サイドレールと摩擦係合する第一の位置に位置決めされる、第一の力提供機構、
を備える、クランプデバイス。
【請求項１１】
さらに、以下：
前記第一のクランププレートに取り付けられた、頂部部材；ならびに
該頂部部材に取り付けられた保持部材であって、該保持部材は、該第一のクランププレートから間隔を空けており、該第一のクランププレート、該頂部部材および該保持部材が、該サイドレールとスライド可能に係合するスロットを規定する、保持部材、
を備える、請求項１０に記載のデバイス。
【請求項１２】
前記第一の力提供機構が、以下：
前記第二のクランププレートに配置された、第一のボア；
前記第一のクランププレートを通して配置された、第一のねじ切りされたボアであって、該第一のねじ切りされたボアは、該第一のボアと整列する、第一のねじ切りされたボア；および
第一のねじ切りされたボルトであって、該第一のねじ切りされたボルトは、該第一のねじ切りされたボアと螺合係合し、そして該第一のボアと作動可能に係合し、その結果、該第一のねじ切りされたボルトの操作が、該第一のクランププレートを、第一の位置または第二の位置のいずれかに位置決めし、該第一の位置において、該第一のクランププレートは、該サイドレールと摩擦係合し、該第二の位置において、該第一のクランププレートは、該サイドレールと摩擦係合しない、第一のねじ切りされたボルト、
を備える、請求項１０に記載のデバイス。
【請求項１３】
前記第一のねじ切りされたボルトは、係合表面をさらに備え、該係合表面は、前記第一のクランププレートを、前記第一の位置と前記第二の位置との間で位置決めするために操作される、請求項１２に記載のデバイス。
【請求項１４】
前記第一のねじ切りされたボルトが、該第一のねじ切りされたボルトの遠位端に取り付けられた第一のハンドルをさらに備え、該第一のハンドルは、前記第一のクランププレートを、前記第一の位置と前記第二の位置との間に位置決めするために操作される、請求項１２に記載のデバイス。
【請求項１５】
前記第一の力提供機構が、前記サイドレールの頂端部および前記テーブルの前記側面の頂端部の上方に配置される、請求項１２に記載のデバイス。
【請求項１６】
第二の力提供機構をさらに備え、該第二の力提供機構は、前記第一の力提供機構からある距離で、前記第二のクランププレートと前記第一のクランププレートとの両方に作動可能に接続されており、該第二の力提供機構は、該第二のクランププレートと該第一のクランププレートとの両方に力を提供し、その結果、該第一のクランププレートが、前記サイドレールと摩擦係合する、請求項１０に記載のデバイス。
【請求項１７】
前記第二の力提供機構が、以下：
前記第二のクランププレートに配置された、第二のボア；
前記第一のクランププレートを通して配置された、第二のねじ切りされたボアであって、該第二のねじ切りされたボアは、該第二のボアと整列する、第二のねじ切りされたボア；および
第二のねじ切りされたボルトであって、該第二のねじ切りされたボルトは、該第二のねじ切りされたボアと螺合係合し、そして該第二のボルトの近位端が、該第二のボアと作動可能に係合し、その結果、該第二のねじ切りされたボルトの操作が、該第一のクランププレートを、第一の位置または第二の位置のいずれかに位置決めし、該第一の位置において、該第一のクランププレートは、該サイドレールと摩擦係合し、該第二の位置において、該第一のクランププレートは、該サイドレールと摩擦係合しない、第二のねじ切りされたボルト、
を備える、請求項１６に記載のデバイス。
【請求項１８】
前記第二のねじ切りされたボルトが、該第二のねじ切りされたボルトの遠位端に取り付けられた第二のハンドルをさらに備え、該第二のハンドルは、前記第一のクランププレートを、前記第一の位置と前記第二の位置との間に位置決めするために操作される、請求項１７に記載のデバイス。
【請求項１９】
前記第二の力提供機構が、前記サイドレールの底端部の下方に配置される、請求項１７に記載のデバイス。
【発明の詳細な説明】
【技術分野】
【０００１】
本願は、２００２年８月２３日に出願された、米国仮特許出願番号６０／４０５，６３０（その内容は、その全体が本明細書中に参考として援用される）に基づき、そしてこの仮特許出願の利益を主張する。
【０００２】
（発明の背景）
本発明は、外科用開創器支持装置に関する。特に、本発明は、外科用開創器支持装置を、手術台の上方で支持するクランプデバイスに関する。
【背景技術】
【０００３】
開創器は、外科手順の間に、外科切開の縁部の肉を牽引して、手術部位を露出するために使用される。開創器は、代表的に、開創器支持装置によって支持され、この開創器支持装置は、手術台の上方で、手術部位の周りに位置決めされる。開創器支持装置は、代表的に、何らかの型のクランプデバイスによって、手術台の側面に取り付けられたサイドレールに固定される。
【０００４】
過去において、２つの型のクランプが、外科用開創器支持装置を手術台のサイドレールに位置決めし、そして取り付けるために使用されている。１つの型のクランプは、第一の部材が第二の部材に旋回可能に取り付けられ、そしてサイドレールの周りに顎様の様式で締め付けられる機構を使用する。ＬｅＶａｈｎ，米国特許第４，３５５，６３１号およびＬｅＶａｈｎら、米国特許第５，４００，７７２号（本願と同じ譲受人に譲渡された）は、この性質のクランプデバイスを開示する。
【０００５】
第二の型のクランプは、クランプ部材および止めねじを使用することによって、開創器支持装置を支持する。この止めねじは、サイドレールと係合し、これにより、クランプ部材がサイドレールに固定される。この型のレールクランプの例は、Ｇｒｉｅｓｈａｂｅｒ，米国特許第３，０４０，７３９号およびＪａｓｃａｌｅｖｉｃｈ，米国特許第３，７１０，７８３号に開示されている。
【０００６】
先行技術のクランプ機構は、より少ない力が、開創器支持装置に付与される状況において、良好に働く。しかし、大きい力が開創器支持装置付与される場合、この先行技術のクランプは、開創器支持システムが移動するか、傾くか、または曲がることを防止するための安定性を欠く。
【０００７】
先行技術のクランプの別の欠点は、これらのクランプが、種々の大きさのサイドレールに嵌るために常に適合性ではないことである。従って、施設は、同じ外科手順を実施するために、手術台の設計に依存して、いくつかの異なるクランプを所有することを強制され得る。
【発明の開示】
【課題を解決するための手段】
【０００８】
（発明の簡単な要旨）
本発明は、開創器支持装置を、サイドレールを有する手術台に固定するクランプデバイスを備える。このクランプデバイスは、手術台の１側面とサイドレールとの間に配置された、第一のクランプ部材を備える。このクランプデバイスはまた、サイドレールと第一のクランプ部材との間に配置された、第二のクランプ部材を備える。第一の固定機構が、第一のクランプ部材および第二のクランプ部材を作動可能に接続し、その結果、第一の固定機構によって提供される力が、第一のクランプ部材および第二のクランプ部材を、逆方向に移動させ、そして手術台の側面とサイドレールとを摩擦係合させる。
【０００９】
（詳細な説明）
本発明のテーブルレールクランプは、一般に、図１において１０で示される。手術台１２は、代表的に、サイドレール１４を備え、これは、側面１３に取り付けられ、そして手術台１２の長さに沿っている。テーブルレールクランプ１０は、レール係合部分１６およびテーブル係合部分１８を備える。図２および３を参照すると、第一の固定機構２０および第二の固定機構２２は、レール係合部分１６およびテーブル係合部分１８に力を付与し、これらの機構は、レール係合部分１６およびテーブル係合部分１８を、反対方向に移動させ、これによって、テーブルレールクランプ１０を、サイドレール１４と手術台１２の側面１３との間で摩擦によって固定する。
【００１０】
図１〜３を参照すると、レール係合部分１６は、サイドレール１４にスライド可能に係合するように設計されており、そしてサイドレール１４の長さに沿って位置決め可能である。レール係合部分１６は、第一のクランププレート２４を備え、このプレートは、手術台１２の側面とサイドレール１４との間に配置される。レール係合部分１６はまた、頂部２６を備え、この頂部は、第一のクランププレート２４および保持部分２８を接続する。保持部分２８は、第一のクランププレート２４から間隔を空けており、そして第一のクランププレート２４に対して実質的に平行に位置決めされ、その結果、第一のクランププレート２４、頂部２６、および保持部分２８は、スロット３０を規定する。図２を参照すると、スロット３０の幅は、サイドレール１４の厚さより大きく、レール係合部分１６に力が全く付与されていない場合に、レール係合部分１６がサイドレール１４上を自由にスライドすることを可能にする。
【００１１】
図２および３を参照すると、テーブル係合部分１８は、好ましくは、第二のクランププレートであり、これは、手術台１４の側面１３と第一のクランププレート２４との間に配置される。テーブル係合部分１８は、好ましくは、平坦な表面１９を備え、この表面は、テーブル１２の側面１３（これもまた、好ましくは、平坦である）と係合する。テーブル係合部分１８の好ましい幾何学的形状はプレートであるが、他の幾何学的形状が、本発明の範囲内である。
【００１２】
テーブル係合部分１８は、図２に最もよく示されるように、第一の固定機構２０および第二の固定機構２２によって、レール係合部分１６に作動可能に取り付けられる。第一の係合機構２０は、レール１４の頂部表面の上方に、そして好ましくは、手術台１２の側面１３の頂縁部の上方に、位置決めされる。第二の固定機構２２は、サイドレール１４の底部表面の下方に、そして好ましくは、手術台１２の側面１３の底縁部の下方に位置決めされる。
【００１３】
第一の固定機構２０は、レール係合部分１６の内部に配置された、第一のねじ切りされたボア３２を備える。レール係合部分の内部の、第一のねじ切りされたボア３２は、テーブル係合部分１８の内部の第一のボア３４と整列される。第一のねじ切りされたボルト３６が、第一のねじ切りされたボア３２と螺合係合し、そしてテーブル係合部分１８内の第一のボア３４内の肩部３５と作動可能に係合する。
【００１４】
図２および３を参照すると、第一のねじ切りされたボルト３６は、係合リング３８を備える。係合リング３８は、第一のねじ切りされたボルト３６のねじ切りされた部分４０の近くに配置され、そして第一のねじ切りされたボルト３６の第一の端部４２から、選択された距離にある。テーブル係合部分１８は、第一のボア３４の周りに切り出し部分４４を備え、この切り出し部分は、係合リング３８を収容する。切り出し部分４４は、テーブル係合部分１８の頂端部２３まで延び、その結果、係合リング３８は、露出され、そしてこれによって、第一のねじ切りされたボルト３６が、蝶ねじと類似の様式で回転されることを可能にする。第一のねじ切りされたボルト３６が回転されるにつれて、第一のねじ切りされたボルト３６と第一のねじ切りされたボア３２との螺合係合が、力を生じ、この力は、レール係合部分１６とテーブル係合部分１８とを、逆方向に推進する。
【００１５】
第一のねじ切りされたボルト３６の第一の端部４２は、第一のボア３４を通って延び、ここで、第一のねじ切りされたボルト３６は、その周囲の周りに溝４５を備える。第一のボア３４内の肩部３５を通る開口より大きい直径を有する止め輪４６が、溝４５内に配置され、その結果、第二のクランププレート１８が、第一のねじ切りされたボルト３６に作動可能に取り付けられる。
【００１６】
第二の固定機構２２はまた、レール係合部分１６の底端部の近くの第二のねじ切りされたボア４８、および第二のねじ切りされたボア４８と整列するテーブル係合部分１８内の第二のボア５０を備える。第二のねじ切りされたボルト５２は、第二のねじ切りされた４８と螺合係合し、そして第二のボア５０と作動可能に係合する。磨耗座金（ｗｅａｒ  ｗａｓｈｅｒ）５１が、第二のボア５０の内部に配置されて、テーブル係合部分１８のかじりを防止する。第二のねじ切りされたボルト５２は、ボルト５２の中央の近くにねじ切りされた部分５４を有し、そして遠位端５８の近くに平滑なシャフト５６を有する。第二のねじ切りされたボルト５２の遠位端５８は、第二のボア５０内に延び、そしてテーブル係合部分１８と係合して、テーブル係合部分１８とレール係合部分１６との間に、逆向きの力を提供する。ハンドル５３が、第二のねじ切りされたボルト５２の近位端５９に取り付けられて、第二のねじ切りされたボルト５２の操作を補助する。
【００１７】
第二のねじ切りされたボルト５２は、テーブル係合部分１８から牽引されて、クランプ１０がサイドレール１４から持ち上げられ、そして別の手術台上に位置決めされることを可能にするために十分なクリアランスを提供する。第二の止め輪６４が、第二のねじ切りされたボルト５２の遠位端５８の近くで、第二の溝６２内に配置される。第二の止め輪６４は、第二のねじ切りされたボア４８より大きい直径を有し、そして第二のねじ切りされたボルト５２と第二のねじ切りされたボア４８との間の螺合可能な係合が脱係合される場合に、第二のねじ切りされたボルト５２を、第二のねじ切りされたボア４８内に保持する。
【００１８】
図３を参照すると、整列ピン６６、６８が、レール係合部分１６内の第一の整列ボア７０および第二の整列ボア７２、ならびにテーブル係合部分１８内の第一の整列ボア７４および第二の整列ボア７６を通して挿入され、レール係合部分１６とテーブル係合部分１８との整列を維持する。さらに、レール係合部分１６の内部のチャネル７８は、テーブル係合部分１８と協働して、レール係合部分１６とテーブル係合部分１８との整列を維持する。
【００１９】
手術の際に、レール係合部分１６は、サイドレール１４がスロット３０内に配置され、そしてレール係合部分１６がサイドレール１４にスライド可能に係合するように、位置決めされる。レール係合部分１６をサイドレール１４の周りで位置決めした後に、第二のねじ切りされたボルト５２が、第二のねじ切りされたボルト５２の遠位端５８を第二のボア５０の近くに位置決めするように、操作される。
【００２０】
第二のねじ切りされたボルト５２が、テーブル係合部分１８の第二のボア５０と整列した状態で、クランプ１０は、サイドレール１４上で、選択された位置にスライドにより位置決めされる。クランプ１０が第二の位置にある状態で、第一の固定機構２０は、テーブル係合部分１８を、レール係合部分１６から強制的に離す。好ましい実施形態において、ねじ切りされたボルトは、力提供機構２０として使用されるが、当業者は、カム機構、偏心ローブ、または不規則な形状のローブが、本発明の範囲内であることを認識する。第一のねじ切りされたボルト５２は、テーブル係合部分１８の頂部が手術台１２の側面１３の頂縁部に隣接するまで、操作される。
【００２１】
テーブル係合部分１８の頂部２６が手術台１２の側面１３に隣接した状態で、第二のねじ切りされたボルト５２は、テーブル係合部分１８の底部を、手術台１２の側面１３の底縁部に近づけるように推進する。第二のクランププレート１８の頂部および底部が、手術台１２の側面１３に隣接した状態で、第一の固定機構２０および第二の固定機構２２は、さらに操作されて、テーブル係合部分１８を、レール係合部分１６から離すように移動させ、レール係合部材１６を、手術台１２の側面から離して移動させる。第一の固定機構２０および第二の固定機構２２は、第一のクランププレート２４がサイドレール１４の片側に隣接するまで操作される。
【００２２】
第一の固定機構２０および第二の固定機構２２のさらなる操作は、逆向きの力を生じ、この力は、第一のクランププレート２４を、サイドレール１４と摩擦係合させ、そしてテーブル係合部分１８を、手術台１２の側面１３と摩擦係合させ、これによって、クランプ１０を所望の位置に固定する。当業者は、サイドレール１４の高さに沿って等しい力を有することが、サイドレール１４の底部または頂部のいずれかのみにクランプ係合を有するよりも、より堅固なクランプ機構を提供することを認識する。
【００２３】
支持部材８０は、レール係合部分１６の頂部２６に取り付けられ、この支持部材の一部分が、図１〜３に記載される。支持部材８０は、上方に延び、これによって、支持体を提供し、この支持体の上に、米国特許第４，６１７，９１６号；同第４，７１８，１５１号；同第４，９４９，７０７号；および同第６，２１０，３２５号に記載されるように、他の開創器支持体（図示せず）がクランプされる。
【００２４】
本発明のテーブルレールクランプの代替の実施形態が、一般に、図４において１１０で示される。クランプ１１０は、レール係合部分１１６およびテーブル係合部分１１８を備える。第一の固定機構１２０および第二の固定機構１２２が、レール係合部分１１６およびテーブル係合部分１１８に力を付与し、この力が、レール係合部分１１６およびテーブル係合部分１１８を逆方向に移動させ、これによって、図５に最もよく示されるように、テーブルレールクランプ１１０を、サイドレール１１４と手術台１１２の側面１１３との間に摩擦により固定する。
【００２５】
図４〜６を参照すると、レール係合部分１１６は、サイドレール１１４とスライド可能に係合するように設計され、そしてサイドレール１１４の長さに沿って位置決めされ得る。レール係合部分１１６は、第一のクランププレート１２４を備え、このプレートは、手術台１１２の側面１１３とサイドレール１１４との間に配置される。レール係合部分１１６はまた、頂部１２６を備え、この頂部は、第一のクランププレート１２４および保持部分１２８を接続する。保持部分１２８は、第一のクランププレート１２４から間隔を空けており、そして第一のクランププレート１２４に対して実質的に平行に位置決めされ、その結果、第一のクランププレート１２４、頂部１２６、および保持部分１２８は、スロット１３０を規定する。スロット１３０の幅は、サイドレール１１４の厚さより大きく、レール係合部分１１６に力が全く付与されていない場合に、レール係合部分１１６がサイドレール１１４上を自由にスライドすることを可能にする。
【００２６】
テーブル係合部分１１８は、好ましくは、第二のクランププレートであり、これは、手術台１１４の側面１１３と第一のクランププレート１２４との間に配置される。テーブル係合部分１１８は、好ましくは、平坦な表面１１９を備え、この表面は、テーブル１１２の側面１１３（これもまた、好ましくは、平坦である）と係合する。テーブル係合部分１１８の好ましい幾何学的形状はプレートであるが、他の幾何学的形状が、本発明の範囲内である。
【００２７】
テーブル係合部分１１８は、第一の固定機構１２０および第二の固定機構１２２によって、レール係合部分１１６に作動可能に取り付けられる。第一の係合機構１２０は、レール１１４の頂部表面の上方に、そして好ましくは、手術台１１２の側面１１３の頂縁部の上方に、配置される。第二の固定機構１２２は、サイドレール１１４の底部表面の下方に、そして好ましくは、手術台１１２の側面１１３の底縁部の下方に位置決めされる。
【００２８】
図５を参照すると、第一の固定機構１２０は、レール係合部分１１６の内部に配置された、第一のねじ切りされたボア１３２を備える。テーブル係合部分１１８の内部の第一のボア１３４は、レール係合部分１１６の内部の、第一のねじ切りされたボア１３２と整列される。第一のねじ切りされたボルト１３６が、第一のねじ切りされたボア１３２と螺合係合し、そしてテーブル係合部分１１８内の第一のボア１３４と作動可能に係合する。
【００２９】
ハンドル１７２が、第二の端部１４３に配置され、レール係合部分１１６を越えて延び、ここで、ハンドル１７２は、クランプ１１０の使用者が、ねじ切りされたボルト１３６を操作することを可能にする。第一のねじ切りされたボルト１３６が回転されるにつれて、第一のねじ切りされたボルト１３６とねじ切りされたボア１３２との螺合係合が、逆向きの力を生じ、この力は、レール係合部分１１６およびテーブル係合部分１１８を、逆方向に推進する。
【００３０】
溝１４４が、第一のねじ切りされたボルト１３６の周囲の周りで、第一の端部１４２の近くに配置され、ここで、第一の端部１４２は、第一のボア１３４を通って延びる。第一のボア１３４内の肩部１３５によって規定される開口より大きい直径を有する止め輪１４６が、溝１４４内に配置され、その結果、テーブル係合部分１１８が、第一のねじ切りされたボルト１３６に作動可能に取り付けられる。
【００３１】
第二の固定機構１２２はまた、レール係合部分１１６の底端部の近くの第二のねじ切りされたボア１４８、および第二のねじ切りされたボア１４８と整列するテーブル係合部分１１８内の第二のボア１５０を備える。第二のねじ切りされたボルト１５２は、第二のねじ切りされたボア１４８と螺合係合し、そしてテーブル係合部分１１８の第二のボア１５０内に配置される。磨耗座金１５１が、第二のボア１５０の内部に配置されて、テーブル係合部分１１８のかじりを防止する。第二のねじ切りされたボルト１５２は、ボルト１５２の中央の近くにねじ切りされた部分１５４を有し、そして遠位端１５８の近くに平滑なシャフト１５６を有する。第二のねじ切りされたボルト１５２の遠位端１５８は、第二のボア１５０と協働して、テーブル係合部分１１８とレール係合部分１６との間に、逆向きの力を提供する。ハンドル１７４が、第二のねじ切りされたボルト１５２の近位端１５９に配置されて、レール係合部分１１６およびテーブル係合部分１１６の位置を操作する。
【００３２】
第二の止め輪１６４は、第二のねじ切りされたボルト１５２の遠位端１５８の近くの第二の溝１６２内に配置される。第二の止め輪１６４は、第二のねじ切りされたボア１４８より大きい直径を有し、そして第二のねじ切りされたボルト１５２と第二のねじ切りされたボア１４８との間の螺合可能な係合が脱係合される場合に、第二のねじ切りされたボルト１５２を、第二のねじ切りされたボア１４８内に保持する。
【００３３】
第二のねじ切りされたボルト１５２は、テーブル係合部分１１８から牽引されて、クランプ１１０がサイドレール１１４から持ち上げられ、そして別の手術台上に位置決めされることを可能にするために必要なクリアランスを提供する。必要とされるクリアランスを提供するために、第二の止め輪１６４は、レール係合部分１１６内の空洞１６３内に牽引される。さらに、レール係合部分１１６内のチャネル１７６が、テーブル係合部分１１８と協働して、レール係合部分１１６とテーブル係合部分１１８との整列を維持する。
【００３４】
手術の際に、レール係合部分１１６は、サイドレール１１４がスロット１３０内に配置され、そしてレール係合部分１１６がサイドレール１１４にスライド可能に係合するように、サイドレール１１４の周りで位置決めされる。レール係合部分１１６をサイドレール１１４の周りで位置決めした後に、第二のねじ切りされたボルト１５２が、第二のねじ切りされたボルト１５２の遠位端１５８を第二のボア１５０の近くに位置決めするように、操作される。
【００３５】
第二のねじ切りされたボルト１５２が、テーブル係合部分１１８の第二のボア１５０と整列した状態で、クランプ１１０は、サイドレール１１４上で、選択された位置にスライドにより位置決めされる。クランプ１１０が第二の位置にある状態で、第一の固定機構１２０は、テーブル係合部分１１８を、レール係合部分１１６から強制的に離すように操作される。好ましい実施形態において、ねじ切りされたボルトは、力提供機構１２０として使用されるが、当業者は、カム機構、偏心ローブ、または不規則な形状のローブが、本発明の範囲内であることを認識する。第一のねじ切りされたボルト１５２は、テーブル係合部分１１８の頂部が手術台１１２の側面１１３の頂縁部に隣接するまで、操作される。
【００３６】
テーブル係合部分１１８の頂部１２６が手術台１１２の側面１１３に隣接した状態で、第二のねじ切りされたボルト１５２は、テーブル係合部分１１８の底部を、手術台１１２の側面１１３の底縁部に近づけるように推進する。第二のクランププレート１１８の頂部および底部が、手術台１１２の側面１１３に隣接した状態で、第一の固定機構１２０および第二の固定機構１２２は、さらに操作されて、テーブル係合部分１１８を、レール係合部分１１６から離すように移動させ、レール係合部分１１６を、手術台１１２の側面から離して移動させる。第一の固定機構１２０および第二の固定機構１２２は、第一のクランププレート１２４がサイドレール１１４の片側に隣接するまで操作される。
【００３７】
第一の固定機構１２０および第二の固定機構１２２のさらなる操作は、逆向きの力を生じ、この力は、第一のクランププレート１２４を、サイドレール１１４の表面と摩擦係合させ、そしてテーブル係合部分１１８を、手術台１１２の側面１１３と摩擦係合させ、これによって、クランプ１１０を、図５に示されるような所望の位置に固定する。当業者は、サイドレール１１４の高さに沿って等しい力を有することが、サイドレール１１４の底部または頂部のいずれかのみにクランプ係合を有するよりも、より堅固なクランプ機構を提供することを認識する。
【００３８】
支持部材１８０は、レール係合部分１１６の頂部１２６に取り付けられ、この支持部材の一部分が、図４〜６に記載される。支持部材１８０は、上方に延び、これによって、支持体を提供し、この支持体の上に、他の開創器支持体（図示せず）がクランプされる。
【００３９】
本発明は、好ましい実施形態に関して記載されたが、当業者は、本発明の精神および範囲から逸脱することなく、形式および細部において変化がなされ得ることを、認識する。
【図面の簡単な説明】
【００４０】
【図１】図１は、本発明の第一の実施形態の斜視図である。
【図２】図２は、図１の断面線２−２に沿った、本発明の第一の実施形態の断面図である。
【図３】図３は、本発明の第一の実施形態の分解斜視図である。
【図４】図４は、本発明の第二の実施形態の斜視図である。
【図５】図５は、図４の断面線５−５に沿った、本発明の第二の実施形態の断面図である。
【図６】図６は、本発明の第二の実施形態の分解斜視図である。
【図１】
2005536315.tif 000003
【図２】
2005536315.tif 000004
【図３】
2005536315.tif 000005
【図４】
2005536315.tif 000006
【図５】
2005536315.tif 000007
【図６】
2005536315.tif 000008
【手続補正書】
【提出日】平成17年2月24日(2005.2.24)
【手続補正１】
【補正対象書類名】特許請求の範囲
【補正対象項目名】全文
【補正方法】変更
【補正の内容】
【特許請求の範囲】
【請求項１】
開創器支持装置を手術台にクランプするためのデバイスであって、該手術台は、サイドレールを有し、該デバイスは、以下：
該手術台の１側面と該サイドレールとの間に配置される、第一のクランプ部材；
該手術台の該側面と該第一のクランプ部材との間に配置される、第二のクランプ部材；ならびに
該第一のクランプ部材および該第二のクランプ部材に作動可能に接続された機構であって、これによって、該第一のクランプ部材および第二のクランプ部材が、逆方向に移動可能であり、これによって、該第一のクランプ部材を該サイドレールに摩擦係合させ、そして該第二のクランプ部材を該手術台の該側面に摩擦係合させる、機構、
を備える、デバイス。
【請求項２】
前記機構が、前記第一のクランプ部材および第二のクランプ部材を係合させる、複数のねじ切りされた棒を備え、その結果、該ねじ切りされた棒が回転される場合に、該第一のクランプ部材および第二のクランプ部材が、逆方向に移動する、請求項１に記載のデバイス。
【請求項３】
前記機構が、前記第一のクランプ部材および第二のクランプ部材を、前記サイドレールの上方で係合させる、第一のねじ切りされた棒、ならびに該第一のクランプ部材および第二のクランプ部材を、該サイドレールの下方で係合させる、第二のねじ切りされた棒を備え、その結果、該第一のねじ切りされた棒および第二のねじ切りされた棒が回転される場合に、該クランプ部材が逆方向に移動する、請求項１に記載のデバイス。
【請求項４】
前記第一の棒および第二の棒が、前記第一のクランプ部材と螺合係合し、一方で、前記第二のクランプ部材と係合して自由に回転する、請求項３に記載のデバイス。
【請求項５】
前記第一のねじ切りされた棒および第二のねじ切りされた棒の各々が、該第一のねじ切りされた棒および第二のねじ切りされた棒を回転させるための、該棒に固定されて取り付けられたハンドルを有する、請求項３に記載のデバイス。
【請求項６】
前記サイドレール上に位置決めされたＵ字型部材をさらに備え、該Ｕ字型部材の１つのレッグは、第一のクランプ部材であり、そして該Ｕ字型部材は、該サイドレールの、前記手術台および該第一のレッグに対向する側に配置された第二のレッグを有する、請求項１に記載のデバイス。
【請求項７】
前記第一のクランプ部材が、前記サイドレールと前記手術台の１側面との間に配置された、第一のクランププレートを備え、そして前記第二のクランプ部材が、該第一のクランププレートと該手術台との間に配置された、第二のクランププレートを備え、該第二のクランププレートは、該手術台の該側面と係合し、そして該第一のクランププレートが、該サイドレールと摩擦係合する、請求項１に記載のクランプデバイス。
【請求項８】
さらに、以下：
前記第一のクランププレートに取り付けられた、頂部部材；ならびに
該頂部部材に取り付けられた保持部材であって、該保持部材は、該第一のクランププレートから間隔を空けており、該第一のクランププレート、該頂部部材および該保持部材が、該サイドレールとスライド可能に係合するスロットを規定する、保持部材、
を備える、請求項７に記載のデバイス。
【国際調査報告】
2005536315.tif 000009